(57)【要約】【課題】除湿運転時に、常時通電することなく、二方弁を閉弁状態に維持できる空気調和機を提供すること。【解決手段】閉弁状態で絞り作用をなす切り込み溝６６を備え、通電により開閉切換操作をするとともに、切り込み溝６６で隔てられる入口側と出口側の差圧により無通電で閉弁状態を維持できる構成の第２二方弁６を介して接続された第１室内熱交換器５及び第２室内熱交換器７を有し、上記第２二方弁６を閉弁して上記第１熱交換器５を凝縮器、第２室内熱交換器７を蒸発器として機能させることで除湿運転を実行する空気調和機において、上記第２二方弁６が閉弁状態を維持しているかを検知する第１温度センサ１６及び第２温度センサ１４と、これら第１温度センサ１６及び第２温度センサ１４の検出温度Ｔ１及びＴ２に基づいて、上記第２二方弁６を通電により閉弁させる制御部２０と、を具備する。【選択図】　　図１
2004108742.tif 000002
【特許請求の範囲】
【請求項１】
閉弁状態で絞り作用をなす弁機構を備え、通電により開閉切換操作をするとともに、絞り部で隔てられる入口側と出口側の差圧により無通電で閉弁状態を維持できる構成の二方弁を介して接続された第１室内熱交換器及び第２室内熱交換器を有し、上記二方弁を閉弁して上記第１熱交換器を凝縮器、第２室内熱交換器を蒸発器として機能させることで除湿運転を実行する空気調和機において、
上記二方弁が閉弁状態を維持しているかを検知する検知手段と、
この検知手段の検知結果に基づいて、上記二方弁を通電により閉弁させる閉弁手段と、
を具備することを特徴とする空気調和機。
【請求項２】
上記検知手段は、上記第１室内熱交換器に流入する冷媒の温度を検出する第１温度検出手段と、上記第１室内熱交換器から吐出した冷媒の温度を検出する第２温度検出手段とを有し、これら第１温度検出手段及び第２温度検出手段により検出された第１温度及び第２温度に基づいて、上記二方弁が閉弁状態を維持しているかを判断することを特徴とする請求項１記載の空気調和機。
【請求項３】
上記検知手段は、上記第１温度と第２温度の差が所定時間継続して所定値より小さいとき、上記二方弁が閉弁状態を維持していないと判断することを特徴とする請求項２記載の空気調和機。
【請求項４】
上記検知手段は、上記二方弁を通過した直後の冷媒の圧力を検出する圧力検出手段を有し、この圧力検出手段により検出された圧力に基づいて、上記二方弁が閉弁状態を維持しているかを判断することを特徴とする請求項１記載の空気調和機。
【請求項５】
上記検知手段は、上記検出圧力が所定時間継続して所定値より小さいとき、上記二方弁が閉弁状態を維持していないと判断することを特徴とする請求項４記載の空気調和機。
【発明の詳細な説明】
【０００１】
【発明の属する技術分野】
本発明は、空気調和機に係り、特に、除湿運転時における二方弁の開閉制御に関する。
【０００２】
【従来の技術】
空気調和機の室内機には、２つの室内熱交換器を絞り量可変の流量制御弁を介して接続し、その流量制御弁を全開して両室内熱交換器を共に蒸発器として機能させることで冷房運転を実行するとともに、流量制御弁を所定の開度に絞って両室内熱交換器のうち一方を蒸発器、他方を再熱器（凝縮器）として機能させることで除湿運転を実行するものがある。
【０００３】
一般に、このような空気調和機に用いられる流量制御弁は、弁体を通電により移動させることで、その絞り量を制御している。しかし、従来においては、弁体が移動した後も、その開度を維持するために流量制御弁に通電する必要があり、電気代がかかるという問題があった。
【０００４】
そこで、最近は、弁体移動時のみ通電し、移動後は通電を停止することで、省エネを図るものが検討されている。このタイプとしては、例えば、弁体が密着する弁座の着座面に複数の切り込み部を形成した二方弁が知られている。
【０００５】
この二方弁によれば、電磁コイルに通電すると、発生する電磁力により弁体がバネの付勢力に抗して弁座側に駆動される。そして、弁体が弁座に着座すると、弁座に形成された複数の切り込み部が、冷媒に対して絞りの役割をなし、二方弁の入口側の圧力が出口側の圧力よりも上昇する。
【０００６】
そのため、除湿運転開始時に閉弁させた後は、通電を停止しても、二方弁の入口側と出口側の差圧により弁体が弁座に押し付けられ、閉弁状態が維持される（例えば、特許文献１。）。
【０００７】
【特許文献１】
特開２００２−９８３８６号公報。
【０００８】
【発明が解決しようとする課題】
ところで、除湿運転中、配管内を循環する冷媒の圧力変動によって、上記差圧が負の値、或いは、バネの付勢力よりも小さくなり、二方弁が開弁することがある。
【０００９】
しかしながら、弁体の移動時のみ通電し、移動後は通電を停止する場合、弁体移動後、すなわち非通電時には、二方弁の閉弁状態を確認することができない。そのため、二方弁が開弁していることに気が付かず、不適切な絞り状態にて除湿運転が継続されることがあった。
【００１０】
本発明は、上述した事情に鑑みてなされたものであって、除湿運転時に、常時通電することなく、二方弁を閉弁状態に維持できる空気調和機を提供することにある。
【００１１】
【課題を解決するための手段】
上記課題を解決し目的を達成するために、本発明の空気調和機の室内機は次のように構成されている。
【００１２】
（１）閉弁状態で絞り作用をなす弁機構を備え、通電により開閉切換操作をするとともに、絞り部で隔てられる入口側と出口側の差圧により無通電で閉弁状態を維持できる構成の二方弁を介して接続された第１室内熱交換器及び第２室内熱交換器を有し、上記二方弁を閉弁して上記第１熱交換器を凝縮器、第２室内熱交換器を蒸発器として機能させることで除湿運転を実行する空気調和機において、上記二方弁が閉弁状態を維持しているかを検知する検知手段と、この検知手段の検知結果に基づいて、上記二方弁を通電により閉弁させる閉弁手段と、を具備することを特徴とする。
【００１３】
（２）（１）に記載された空気調和機において、上記検知手段は、上記第１室内熱交換器に流入する冷媒の温度を検出する第１温度検出手段と、上記第１室内熱交換器から吐出した冷媒の温度を検出する第２温度検出手段とを有し、これら第１温度検出手段及び第２温度検出手段により検出された第１温度及び第２温度に基づいて、上記二方弁が閉弁状態を維持しているかを判断することを特徴とする。
【００１４】
（３）（２）に記載された空気調和機において、上記検知手段は、上記第１温度と第２温度の差が所定時間継続して所定値より小さいとき、上記二方弁が閉弁状態を維持していないと判断することを特徴とする。
【００１５】
（４）（１）に記載された空気調和機において、上記検知手段は、上記二方弁を通過した直後の冷媒の圧力を検出する圧力検出手段を有し、この圧力検出手段により検出された圧力に基づいて、上記二方弁が閉弁状態を維持しているかを判断することを特徴とする。
【００１６】
（５）（４）に記載された空気調和機において、上記検知手段は、上記検出圧力が所定時間継続して所定値より小さいとき、上記二方弁が閉弁状態を維持していないと判断することを特徴とする。
【００１７】
【発明の実施の形態】
以下、図面を参照しながら本発明の一実施の形態について説明する。図１は、本発明の一実施の形態に係る空気調和機の冷凍サイクルを示す構成図である。
【００１８】
同図に示すように、圧縮機１の突出口には、四方弁２を介して室外熱交換器３が接続されている。この室外熱交換器３は、第１二方弁４を介して第１室内熱交換器５に接続されている。第１室内熱交換器５は第２二方弁６を介して第２室内熱交換器７に接続され、第２室内熱交換器７は四方弁２を介して圧縮機１の吸込口に接続されている。
【００１９】
圧縮機１は能力可変圧縮機で、その駆動モータはインバータ回路１１に接続されている。このインバータ回路１１は、商用交流電源１０の電圧を整流し、それを制御部２０（開度制御手段）の指令に応じた周波数の交流に変換し、出力する。この出力は、圧縮機モータの駆動電力となる。
【００２０】
室外熱交換器３の近傍には室外ファン８が設けられている。この室外ファン８は室外熱交換器３に外気を吹き付け、循環させるもので、モータ８Ｍが位相制御回路１２に接続されている。この位相制御回路１２は、商用交流電源１０からモータ８Ｍに対する通電を制御部２０の指令に応じて位相制御する。この位相制御により、室外ファン８の回転数の変化が可能となる。
【００２１】
室内熱交換器５、７の近傍には室内ファン９が設けられている。この室内ファン９は室内熱交換器５、７に室内空気を吹き付けて、循環させるもので、モータ９Ｍがタップ切換回路１３を介して商用交流電源１０に接続されている。タップ切替回路１３は、速度切換タップＨ（高速）、Ｍ（中速）、Ｌ（低速）、Ｌ−（微低速）、ＵＬ（超低速）を有し、制御部２０の指令に応じたタップ切換を行う。
【００２２】
第２二方弁６と第２室内熱交換器７との接続管１８には、第２温度センサ１４（第２温度検出手段）が取り付けられ、また、第１二方弁４と第１室内熱交換器５との接続管１９において、第１室内熱交換器５に近い位置には、第１温度センサ１６（第１温度検出手段）が取り付けられている。第１温度センサ１６及び第２温度センサ１４は制御部２０と共に、第２二方弁６が閉弁状態を維持しているかを検知する検知手段を構成する。
【００２３】
制御部２０は、マイクロコンピュータ及びその周辺回路からなり、空気調和機全般にわたる制御を行う。すなわち、この制御部２０には、リモートコントロール式の操作器（以下リモコンと略称する）２１、室内温度センサ２２、室内湿度センサ２３、室外温度センサ２４、四方弁２、第１二方弁４、第２二方弁６、インバータ回路１１、位相制御回路１２、タップ切換回路１３、温度センサ１４、１５、１６が接続され、これらの制御を行う。
【００２４】
次に、室内熱交換器５、７が搭載される空気調和機の室内機の構成を説明する。図２は本発明の一実施の形態に係る空気調和機の室内機を示す斜視図、図３は同室内機を示す断面図、図４は同室内機の一部を示す拡大図、図５は同室内熱交換器の一部を示す拡大図、図６は同室内熱交換器の冷媒流通経路を説明する概略図である。
【００２５】
図３中３０は室内機本体で、この室内機本体３０は、上面に上部吸込口３１、前面に前面吸込口３２、下部に吹出口３３を備えている。前面吸込口３２は、開閉駆動機構３４に支持される可動パネル３５によって開閉される。吹出口３３は、それぞれ別個に回動制御される２枚のルーバ３６により閉塞される。
【００２６】
室内機本体３０内には、上面吸込口３１及び前面吸込口３２から吹出口３３にかけて、通風路３７が形成されている。この通風路３７には、６、第１室内熱交換器５、第２室内熱交換器７、室内ファン９が設けられている。
【００２７】
室内熱交換器５、７は、アルミニウム製の共通のフィンに風上側と風下側に位置する２つの室内熱交換器を配列したもので、風上側が第２室内熱交換器７、風下側が第１室内熱交換器５となっている。また、第１、第２室内熱交換器５、７は、側面ほぼ逆Ｖ字状となるように屈曲され、室内機本体３０の小型化が図られている。
【００２８】
また、室内機本体３０内には、第１ドレンパン２６及び第２ドレンパン２７が形成されている。第１室内熱交換器５の下端部、及び第２室内熱交換器７の下端部は、それぞれ第１、第２ドレンパン２６、２７上に載り、それぞれ第１、第２室内熱交換器５、７から滴下するドレン水を受け、外部に排水する。
【００２９】
第１室内熱交換器５の前面には、電気集塵機２５が取り付けられている。この電気集塵機２５は、荷電側電極と集塵側電極とから構成されている。荷電側電極は塵埃に電荷を与え、集塵側電極は電荷が与えられた塵埃を引き付けて除去する。
【００３０】
なお、このような一体構成の室内熱交換器５、７では、後述する除湿運転時において、第１室内熱交換器５が加熱器として作用し、第２室内熱交換器７が蒸発器として作用する。
【００３１】
次に、第２二方弁６の構成を説明する。
【００３２】
図７は同第２二方弁６の構成を示す断面図である。同図に示すように、第２二方弁６は弁ハウジング５１を有する。この弁ハウジング５１の上部には筒状部５２が形成され、この筒状部５２の外周には導線５３を介して通電される電磁コイル５４が設けられている。
【００３３】
筒状部５２の内側上部にはガイド５５が設けられ、内部下側には吸引子５６が設けられている。ガイド５５と吸引子５６との間には下端部に弁体５７が固定されたプランジャ５８が配置されている。プランジャ５８は筒状をなし、その周壁はガイド５５と筒状部５２との間に配置されている。
【００３４】
プランジャ５８は、吸引子５６に固定されたバネ５９によって上方に付勢されている。また、プランジャ５８の内部には緩衝材６０が設けられ、ガイド５５の下端が緩衝材６０に当接することにより、バネ５９の付勢力によるプランジャ５８の移動を規制している。なお、吸引子５６とプランジャ５８は同磁性材で形成され、ガイド５５と弁体５７は非磁性材料で形成されている。
【００３５】
弁ハウジング５１の内部には弁室６１が形成されている。弁室６１には第１室内熱交換器５に接続された接続管２８が接続され、第２室内熱交換器７に接続された接続管１８が弁ポート６２を介して接続されている。
【００３６】
また、弁室６１内には、プランジャ５８に固定された弁体５７の先端部が配置され、弁ポート６２の弁体５７側端部には、この弁体５７が着座する弁座６３が形成されている。
【００３７】
弁体５７の先端部外周にはテーパ面６４が形成され、弁座６３の上端内周面には弁体５７のテーパ面６４と整合するようなテーパ面６５が形成されている。弁座６３のテーパ面６５には複数の切り込み溝６６（弁機構）が放射状に形成されており、弁体５７が弁座６３に着座した状態において、切り込み溝６６を介して弁室６１と弁ポート６２とが連通している。なお、切り込み溝６６は、閉弁状態において除湿運転に最適な絞り作用をなすように形成されている。
【００３８】
次に、第２二方弁６の作用について説明する。
【００３９】
電磁コイル５４に通電すると、吸引子５６とプランジャ５８との間に、プランジャ５８をバネ５９の付勢力に抗して下降させる方向へ電磁力が発生する。この電磁力によりプランジャ５８が下降すると、弁体５７もプランジャ５８と連動して下降し、弁体５７のテーパ面６４と弁座６３のテーパ面６５が密着する。これにより、弁体５７は弁座６３に着座し、第２二方弁６が閉弁状態となる。
【００４０】
除湿運転は、第２二方弁６の閉弁状態において実行される。除湿運転時、冷媒は弁室６１から切り込み溝６５を介して弁ポート６２に流出する。このとき、切り込み溝６５は冷媒に対して絞りの役割をするため、弁室６１内の冷媒圧力が弁ポート６２内の冷媒圧力より高くなる。
【００４１】
そのため、これにより発生した差圧は、弁体５７を弁座６３に押し付けるように作用する。すなわち、後述する除湿運転開始時に電磁コイル５４への通電により一旦第２二方弁６が閉弁すると、その後は冷媒に生じる差圧が弁体５７を弁座６３側に押し付けるよう作用するから、通常、電磁コイル５４への通電を停止しても第２二方弁６の閉弁状態は維持される。
【００４２】
次に、全体の作用について説明する。
【００４３】
リモコン３１で自動モードが設定されたとする。この場合、室内温度センサ２２で検知される室内温度が高めの冷房・除湿領域にあれば、冷房・除湿モードが設定される。
【００４４】
冷房・除湿モードが設定されると、室内温度と、室内湿度センサ２３で検知される室内湿度と、予め制御部２０の内部メモリに定められた運転モード選択条件とによって、冷房運転の実行、除湿運転の実行、又は送風運転の実行が選択される。
【００４５】
つまり、室内温度がリモコン２１での設定温度よりも十分に高ければ冷房運転が実行され、室内温度が設定温度を中心とする所定範囲内に収まっていれば除湿運転が実行され、室内温度が設定温度を下回って上記所定範囲から外れると送風運転が実行される。
【００４６】
冷房運転では、圧縮機１の運転、四方弁２に非作動（ニュートラル状態）、第１二方弁４の絞り、第２二方弁６の全開、室外ファン８の運転、室内ファン９の運転が設定される。
【００４７】
この場合、圧縮機１から冷媒が吐出され、それが四方弁２を通って室外熱交換器３に入る。室外熱交換器３では、冷媒が外気に熱を放出して液化する。室外熱交換器３を経た冷媒は、第１二方弁４で気化し易いように減圧され、室内熱交換器５に入る。
【００４８】
この室内熱交換器５に入った冷媒は、全開状態の第２二方弁６を通って室内熱交換器７に流入する。室内熱交換器５、７では、冷媒が室内空気から熱を奪って気化する。この室内熱交換器５、７を経た冷媒は、四方弁２を通って圧縮機１に戻る。
【００４９】
こうして、図１に矢印で示す方向に冷媒が流れて冷房サイクルが形成され、室外熱交換器３が凝縮器、第１、第２室内熱交換器５、７が共に蒸発器として働くことにより、室内が冷房される。
【００５０】
除湿運転時では、圧縮機１の運転、四方弁２の非作動、第１二方弁４の全開、第２二方弁６の絞り、室外ファン８の運転及び室内ファン９の運転が設定される。
【００５１】
この場合、圧縮機１から冷媒が吐出され、それが四方弁２及び室外熱交換器３を通り、さらにそこから第１二方弁４を通って室内熱交換器５に入る。この室内熱交換器５では、冷媒が室内空気に熱を放出して液化する。室内熱交換器５を経た冷媒は、第１二方弁６で気化しやすいように減圧され、室内熱交換器７に入る。この室内熱交換器７では、冷媒が室内空気から熱を奪って気化する。室内熱交換器７を経た冷媒は、四方弁４を通って圧縮機１に戻る。
【００５２】
こうして、図１に矢印で示す方向に冷媒が流れて除湿サイクルが形成され、室外熱交換器３が凝縮器、第１の室内熱交換器５も凝縮器（再熱器）、第２の室内熱交換器７が蒸発器として働く。
【００５３】
したがって、第２室内熱交換器７で室内空気が冷房され、室内空気に含まれている水分がドレンとなって第２室内熱交換器７に付着し、その後、第２ドレンパン２７を介して外部に排出される。この第２の室内熱交換器７で冷却及び除湿されたドライ空気は再熱器である室内熱交換器５で暖められ、室内に吹き出される。
【００５４】
このとき、第１温度センサ１６及び第２温度センサ１４は、制御部２０の指令に応じて、それぞれ第１室内熱交換器５に流入する冷媒の温度、及び第１室内熱交換器７から吐出した冷媒の温度を検出する。そして、第１温度センサ１６及び第２温度センサ１４の出力に基づいて、除湿運転中、制御部２０は第２二方弁６が閉弁状態を維持しているかを判断する。
【００５５】
すなわち、第１室内熱交換器５の吸込口及び吐出口における冷媒の温度差は、第２二方弁６が絞り作用をなしているか否かによって変化するため、逆にこの温度差を検出し、実験により設定された所定値と比較することで、第２二方弁６が開弁状態、或いは閉弁状態であるかを知ることができる。
【００５６】
さらに説明するならば、第２二方弁６が開弁していると、この第２二方弁６内における流路断面積が大きくなるため、第１室内熱交換器５内を循環する冷媒の流速が増加する。そのため、冷媒は第１室内熱交換器５によってあまり熱交換されず、第１室内熱交換器５の吸込口と突出口における冷媒の温度差が小さくなる。
【００５７】
そこで、これを利用して、除湿運転時に第２二方弁６が閉弁状態を維持しているかを検知する。以下、この方法を用いた第２二方弁６の開閉制御について説明する。図８は第２二方弁６の開閉制御を示すフローチャートである。
【００５８】
同図に示すように、除湿運転が開始されると（ステップ１０１のＹＥＳ）、通電により第２二方弁６が閉弁するまで絞り込まれる（ステップ１０２）。この絞込みの開始から一定時間、例えば１分間が経過すると（ステップ１０３のＹＥＳ）、第２二方弁６の監視タイミングにおいて（ステップ１０４のＹＥＳ）、第１温度センサ１６及び第２温度センサ１４により、第１室内熱交換器５の吸込口における冷媒の温度（以下第１温度Ｔ１とする）、及び第２室内熱交換器５から吐出された冷媒の温度（以下、第２温度Ｔ２とする）が検出される（ステップ１０５のＹＥＳ）。一方、絞り込みの開始から１分間が経過してなければ（ステップ１０３のＮＯ）、継続して通電により第２二方弁６が閉弁するまで絞り込まれる（ステップ１０２）。
【００５９】
検出された第１温度Ｔ１及び第２温度Ｔ２が１０分間（所定時間）継続して、以下の［数式１］を満たすと（ステップ１０６のＹＥＳ）、すなわち、第１室内熱交換器５の吸込口及び吐出口における冷媒の温度差が１０分間継続して５［℃］（所定値）以下を維持すると、第２二方弁６が通電により閉弁するまで絞り込まれる（ステップ１０７）。
【００６０】
この絞り込みの開始から一定時間、例えば１分間が経過し（ステップ１０８のＹＥＳ）、第２二方弁６が閉弁すると、空気調和機は閉弁状態を維持し、最適な除湿サイクルで除湿運転を継続する。一方、第２二方弁６の絞込みの開始から１分間が経過してなければ（ステップ１０８）、継続して第２二方弁６が通電により閉弁するまで絞り込まれる（ステップ１０７）。
【００６１】
また、検出された第１温度Ｔ１及び第２温度Ｔ２が１０分間（所定時間）継続して以下の［数式１］を満たさない場合（ステップ１０６のＮＯ）、すなわち、第１室内熱交換器５の吸込口及び吐出口における冷媒の温度差が１０分間継続して５［℃］以下を維持しない場合、再び第２二方弁６の監視タイミングにおいて（ステップ１０４のＹＥＳ）、第１温度Ｔ１及び第２温度Ｔ２が検出される。
【００６２】
【数１】
2004108742.tif 000003
【００６３】
上記構成の空気調和機によれば、除湿運転の開始時に、第２二方弁６を閉弁する。その後、除湿運転中に監視タイミングにおいて第１室内熱交換器５の吸込口及び吐出口における冷媒の温度をそれぞれ第１温度Ｔ１及び第２温度Ｔ２として検出する。そして、これら第１温度Ｔ１と第２温度Ｔ２の差が１０分間継続して５［℃］以下を維持したとき、再び第２二方弁６を閉弁する。
【００６４】
すなわち、除湿運転中に、第２二方弁６が外乱により開弁しても、次の監視タイミングにおいてその事実が検知され、第２二方弁６は再び閉弁される。その結果、外乱等による第２二方弁６の開弁の影響を最小限に抑え、最適な除湿サイクルにて除湿運転を行うことができる。
【００６５】
さらに、除湿運転時中、第２二方弁６に閉弁状態を維持させるために常に通電する必要がないから、電気代による運転コストを削減することができる。
【００６６】
図９は、上記構成の空気調和機の変形例に係る冷凍サイクルの構成図、図１０は同空気調和機の変形例に係る室内熱交換器の一部を示す拡大図である。図９と図１０に示すように、この変形例では、検知手段として第１温度センサ１６及び第２温度センサ１４を用いる代わりに、第２二方弁６と第２室内熱交換器７との接続管１８に圧力センサ４１（圧力検出手段）を設けている。
【００６７】
この圧力センサ４１は、制御部２０の指令に応じて第１室内熱交換器５から吐出して第２二方弁６により減圧された冷媒の圧力Ｐを検出する。そして、制御部２０は、検出された圧力Ｐに基づいて、第２二方弁６が閉弁状態を維持しているかを判断する。
【００６８】
すなわち、冷媒の減圧の程度は、第２二方弁６が絞り作用をなしているか否かによって変化するため、逆にこの圧力Ｐを検出し、実験により設定された所定値Ｘと比較することで、第２二方弁６の開度を知ることができる。これを利用して、除湿運転時に第２二方弁６が閉弁状態を維持しているかを検知する。
【００６９】
以下、図８に示すフローチャートを用いて、この変形例の作用について説明する。なお、ここでは、上記実施の形態と同一の処理については、説明を省略する。
【００７０】
同図に示すように、除湿運転が開始されると（ステップ１０１のＹＥＳ）、通電により第２二方弁６が閉弁するまで絞り込まれる（ステップ１０２）。この絞り込みの開始から一定時間、例えば１分間が経過すると（ステップ１０３のＹＥＳ）、第２二方弁６の監視タイミングにおいて（ステップ１０４のＹＥＳ）、第２二方弁６で減圧された冷媒の圧力Ｐが圧力センサ４１により検出される。
【００７１】
検出された圧力Ｐが、以下の［数式２］を満たすと（ステップ１０６のＹＥＳ）、すなわち、第２二方弁６により減圧された冷媒の圧力Ｐが所定時間継続して所定値Ｘ以下を維持すると、第２二方弁６が通電により閉弁されるまで絞り込まれる（ステップ１０７）。
【００７２】
この絞り込みの開始から一定時間、例えば１分間が経過し（ステップ１０８のＹＥＳ）、第２二方弁６が閉弁すると、空気調和機はその閉弁状態を維持し、最適な除湿サイクルで除湿運転を継続する。
【００７３】
また、検出された圧力Ｐが以下の［数式２］を満たさない場合（ステップ１０６のＮＯ）、すなわち、第２二方弁６により減圧された冷媒の圧力Ｐが所定時間継続して所定値Ｘ以下を維持しない場合（ステップ１０６のＮＯ）、再び第２二方弁６の監視タイミングにおいて（ステップ１０４のＹＥＳ）、圧力Ｐが検出される。
【００７４】
【数２】
2004108742.tif 000004
【００７５】
このように第２二方弁６により減圧された冷媒の圧力Ｐを検出しても、第２二方弁６が閉弁状態を維持しているかを検知することができる。
【００７６】
そのため、上記実施の形態と同様に、除湿運転中、第２二方弁６が外乱により開弁しても、次の監視タイミングにおいてその事実が検知され、第２二方弁６はその後再び閉弁される。その結果、外乱等により生じる第２二方弁６の開弁の影響を最小限に抑え、最適な除湿サイクルにて除湿運転を行うことができる。
【００７７】
さらに、除湿運転時中、第２二方弁６に閉弁状態を維持させるために常に通電する必要がないから、電気代による運転コストを削減することができる。
【００７８】
【発明の効果】
本発明によれば、空気調和機の除湿運転時に、常時通電することなく、二方弁を閉弁状態に維持することができる。
【図面の簡単な説明】
【図１】本発明の一実施の形態に係る空気調和機の冷凍サイクルを示す構成図。
【図２】同空気調和機の室内機を示す斜視図。
【図３】同室内機を示す断面図。
【図４】同室内機の一部を示す拡大図。
【図５】同室内熱交換器の一部を示す拡大図。
【図６】同室内熱交換器の冷媒流通経路を説明する概略図。
【図７】同第２二方弁の構成を示す断面図。
【図８】同第２二方弁の開閉制御を示すフローチャート。
【図９】同空気調和機の変形例に係る冷凍サイクルを示す構成図。
【図１０】同空気調和機の変形例に係る室内熱交換器の一部を示す拡大図。
【符号の説明】
５…第１室内熱交換器
６…二方弁
７…第２室内熱交換器
１４…第２温度センサ（第１温度検出手段、検知手段）
１６…第１温度センサ（第２温度検出手段、検知手段）
２０…制御部（閉弁手段）
４１…圧力センサ（圧力検出手段）
６６…切り込み溝（弁機構）
Ｔ１…第１温度
Ｔ２…第２温度
Ｐ…検出圧力
【図１】
2004108742.tif 000005
【図２】
2004108742.tif 000006
【図３】
2004108742.tif 000007
【図４】
2004108742.tif 000008
【図５】
2004108742.tif 000009
【図６】
2004108742.tif 000010
【図７】
2004108742.tif 000011
【図８】
2004108742.tif 000012
【図９】
2004108742.tif 000013
【図１０】
2004108742.tif 000014